(57)【要約】【課題】防水性能を向上させるとともに、２つのケース体を重ね合わせて接着する際に２つのケース体がずれてしまうことを回避する。【解決手段】上蓋１０の外枠部１１上に突起部１２が形成され、また、下蓋２０の外枠部２１上に外枠部２１よりも幅が狭い溝部２２が形成されるとともに、この溝部２２内に、突起部１２が嵌合する嵌合溝２３が形成されており、上蓋１０と下蓋２０とが、互いに重ね合わされた状態で外枠部１１，２１のうち溝部２２とそれと対向する領域とが互いに接着され、外枠部１１，２１のうち溝部２２とそれと対向する領域以外は互いに接していない。【選択図】図１
2013117919.tif 000002
【特許請求の範囲】
【請求項１】
第１のケース体と、該第１のケース体に重ね合わされた第２のケース体とからなり、前記第１のケース体と前記第２のケース体とに挟み込まれた領域のうち、前記第１のケース体と前記第２のケース体のそれぞれの外周に沿って設けられた外枠部によって囲まれた領域が収納部となる収納ケースにおいて、
前記第１のケース体は、前記外枠部上に当該第１のケース体の外周に沿って前記第２のケース体側に突出した突起部が形成され、
前記第２のケース体は、前記外枠部上に前記突起部に対向するように当該外枠部の幅よりも狭い幅を具備して形成された溝部を有し、該溝部内に、前記第１のケース体が重ね合わされた場合に前記突起部が嵌合する嵌合部を有し、
前記第１のケース体と前記第２のケース体とは、互いに重ね合わされた状態で前記外枠部のうち前記溝部とそれと対向する領域とが互いに接着され、前記外枠部のうち前記溝部とそれと対向する領域以外は互いに接していないことを特徴とする収納ケース。
【請求項２】
請求項１に記載の収納ケースにおいて、
前記第１のケース体と前記第２のケース体とは、前記溝部とそれと対向する領域とが超音波接着されている収納ケース。
【請求項３】
請求項１または請求項２に記載の収納ケースにおいて、
前記収納部にＲＦ−ＩＤメディアが収納されている収納ケース。
【発明の詳細な説明】
【技術分野】
【０００１】
本発明は、物品を収納する収納ケースに関し、特に、収納ケースの防水技術に関する。
【背景技術】
【０００２】
昨今、情報化社会の進展に伴って、商品等に添付されるタグに情報を記録し、このタグを用いて商品等の管理が行われている。このようなタグを用いた情報管理においては、タグに対して非接触状態にて情報の書き込みや読み出しを行うことが可能なＩＣチップが搭載されたＲＦ−ＩＤメディアがその優れた利便性から急速な普及が進みつつある。
【０００３】
このようなＲＦ−ＩＤメディアは、ベース基材上に導電性のアンテナが形成されるとともにこのアンテナに接続されるようにＩＣチップが搭載され、これらアンテナとＩＣチップとから導電回路が形成され、この導電回路によって非接触状態にて通信が可能となっている。そのため、使用される環境によっては防水対策を施す必要があり、例えば、防水機能を有するケースにＲＦ−ＩＤメディアを収納して使用することが考えられる。その場合、ＲＦ−ＩＤメディアを収納したケースを射出形成によって製造することにより、防水機能を実現することができる。
【０００４】
ところで、上述したようなＲＦ−ＩＤメディアにおいては、金属からなる部品が近接している場合、磁性体を埋め込むことにより、金属による通信不能を回避する手段がとられる。ところが、磁性体は熱に弱いため、上述したようにＲＦ−ＩＤメディアを収納する収納ケースを射出形成によって製造することはできない。
【０００５】
ここで、２つのケース体を重ね合わせることによって、収納部を有する収納ケースを構成することが一般的に行われている。このように２つのケース体によって収納ケースを構成する場合は、２つのケース体の収納部の外枠となる部分の全面を接着剤や超音波によって接着することにより、収納部を形成することが行われている（例えば、特許文献１，２参照）。またその際、一方のケース体の外周部の一部に凸部を設けることで接着面積を多くして接着強度を高めることも考えられている（例えば、特許文献２参照）。
【０００６】
このように２つのケース体の収納部の外枠となる部分の全面を接着剤や超音波によって接着することによって収納ケースを構成することにより、磁性体を埋め込んだＲＦ−ＩＤメディアのような熱に弱い物品についても、防水機能を実現しながら収納することができる。
【先行技術文献】
【特許文献】
【０００７】
【特許文献１】特開２００６−１７８７０１号公報
【特許文献２】特開２００７−３２６３０６号公報
【発明の概要】
【発明が解決しようとする課題】
【０００８】
しかしながら、上述したように２つのケース体の収納部の外枠となる部分の全面が接着剤や超音波によって接着されることによって構成された収納ケースにおいては、収納部の外枠となる部分の全面が互いに接着されているため、２つのケース体がその収納部の外枠となる部分の全面にて面接触の状態で接着されており、それにより、接着される圧力のばらつきによっては防水性が損なわれる領域が生じ、防水機能を果たしているとは言い難い。また、２つのケース体を重ね合わせて接着する際、２つのケース体がずれてしまい、防水性が損なわれてしまう虞れがある。特に、２つのケース体を超音波によって接着する場合、超音波振動によって２つのケース体がずれてしまう可能性が高い。
【０００９】
本発明は、上述したような従来の技術が有する問題点に鑑みてなされたものであって、２つのケース体が重ね合わされて構成される収納ケースにおいて、防水性能を向上させることができるとともに、２つのケース体を重ね合わせて接着する際に２つのケース体がずれてしまうことを回避できる収納ケースを提供することを目的とする。
【課題を解決するための手段】
【００１０】
上記目的を達成するために本発明は、
第１のケース体と、該第１のケース体に重ね合わされた第２のケース体とからなり、前記第１のケース体と前記第２のケース体とに挟み込まれた領域のうち、前記第１のケース体と前記第２のケース体のそれぞれの外周に沿って設けられた外枠部によって囲まれた領域が収納部となる収納ケースにおいて、
前記第１のケース体は、前記外枠部上に当該第１のケース体の外周に沿って前記第２のケース体側に突出した突起部が形成され、
前記第２のケース体は、前記外枠部上に前記突起部に対向するように当該外枠部の幅よりも狭い幅を具備して形成された溝部を有し、該溝部内に、前記第１のケース体が重ね合わされた場合に前記突起部が嵌合する嵌合部を有し、
前記第１のケース体と前記第２のケース体とは、互いに重ね合わされた状態で前記外枠部のうち前記溝部とそれと対向する領域とが互いに接着され、前記外枠部のうち前記溝部とそれと対向する領域以外は互いに接していないことを特徴とする。
【００１１】
上記のように構成された本発明においては、第１のケース体と第２のケース体とを接着するために第１のケース体と第２のケース体とを重ね合わせると、第１のケース体の外枠部に形成された突起部が、第２のケース体の外枠部に形成された溝部内の嵌合部に嵌合し、それにより、第１のケース体と第２のケース体とを接着する際にこれらがずれてしまうことが回避される。例えば、第１のケース体と第２のケース体とを、溝部とそれに対向する領域とで超音波接着するために超音波振動を加えた場合でも、第１のケース体と第２のケース体とがずれてしまうことが回避される。そして、その状態で第１のケース体と第２のケース体とが接着されることになるが、その際、第１のケース体と第２のケース体とは、外枠部の全面にて接着されるのではなく、外枠部のうち、外枠部の幅よりも狭い幅を具備する溝部とそれと対向する領域とが互いに接着され、外枠部のうち溝部とそれと対向する領域以外では互いに接していないことにより、第１のケース体と第２のケース体とが、収納部を形成するための外枠部の全面における面接触ではなく線接触のような状態で互いに接着されることとなり、それにより、第１のケース体と第２のケース体との接着部分にてこれらを接着するための圧力のばらつきによって防水性が損なわれる領域が生じにくくなるとともに、外枠部のうち第１のケース体と第２のケース体とが接していない領域においてこれらを接着するために加わった過分な圧力が吸収されることでクラック等が入りにくくなり、防水性能が向上する。
【００１２】
このように構成された収納ケースには、収納部にＲＦ−ＩＤメディアが収納されることが考えられる。
【発明の効果】
【００１３】
以上説明したように本発明においては、第１のケース体の外枠部上にその外周部に沿って突起部が形成され、また、第２のケース体の外枠部上に突起部に対向するように形成された溝部内に、第２のケース体に第１のケース体が重ね合わされた場合に突起部が嵌合する嵌合部が設けられているため、第１のケース体と第２のケース体とを接着するために第１のケース体と第２のケース体とを重ね合わせた際、突起部が嵌合部に嵌合し、それにより、第１のケース体と第２のケース体とを接着する際にこれらがずれてしまうことを回避できる。また、第１のケース体と第２のケース体とが、互いに接着された状態においては、これらが外枠部の全面にて接着されるのではなく、外枠部のうち、外枠部の幅よりも狭い幅を具備する溝部とそれと対向する領域とが互いに接着され、外枠部のうち溝部とそれと対向する領域以外では互いに接していない構成とすることにより、第１のケース体と第２のケース体とが、収納部を形成するための外枠部の全面における面接触ではなく線接触のような状態で互いに接着されることとなり、それにより、第１のケース体と第２のケース体との接着部分にてこれらを接着するための圧力のばらつきによって防水性が損なわれる領域が生じにくくなるとともに、外枠部のうち第１のケース体と第２のケース体とが接していない領域においてこれらを接着するために加わった過分な圧力が吸収されることでクラック等が入りにくくなり、防水性能を向上させることができる。
【図面の簡単な説明】
【００１４】
【図１】本発明の収納ケースの実施の一形態を示す図であり、（ａ）は上面図、（ｂ）は（ａ）に示したＡ−Ａ’断面図、（ｃ）は（ａ）に示した上蓋の裏面図、（ｄ）は（ｃ）に示したＢ−Ｂ’断面図、（ｅ）は（ｂ）に示した下蓋の裏面図、（ｆ）は（ｅ）に示したＣ−Ｃ’断面図である。
【図２】図１に示した非接触ＩＣタグの構成を示す図であり、（ａ）は内部構造を示す平面図、（ｂ）は積層図である。
【図３】図１に示した収納ケースの製造方法を説明するための図である。
【図４】本発明の収納ケースの他の実施の形態を示す図である。
【発明を実施するための形態】
【００１５】
以下に、本発明の実施の形態について図面を参照して説明する。
【００１６】
図１は、本発明の収納ケースの実施の一形態を示す図であり、（ａ）は上面図、（ｂ）は（ａ）に示したＡ−Ａ’断面図、（ｃ）は（ａ）に示した上蓋１０の裏面図、（ｄ）は（ｃ）に示したＢ−Ｂ’断面図、（ｅ）は（ｂ）に示した下蓋２０の裏面図、（ｆ）は（ｅ）に示したＣ−Ｃ’断面図である。
【００１７】
本形態は図１（ａ），（ｂ）に示すように、第１のケース体となる上蓋１０と、第２のケース体となる下蓋２０とが重ね合わされ、それぞれの外周に沿う外枠部１１，２１にて互いに接着されて構成されている。そして、上蓋１０と下蓋２０とに挟まれた領域のうち、外枠部１１，２１に囲まれた領域が収納部３０となっており、その収納部３０にＲＦ−ＩＤメディアである非接触ＩＣタグ４０が収納されている。
【００１８】
上蓋１０は図１（ｃ），（ｄ）に示すように、円盤状のものであって、下蓋２０と対向する面には、外枠部１１上にその外周に沿って突起部１２が形成されている。この突起部１２は、上蓋１０から下蓋２０側に山脈状に突出している。
【００１９】
下蓋２０は図１（ｅ），（ｆ）に示すようには、その外形が上蓋１０と同一の円形であって、外周に沿う領域が幅Ｗ1だけ上蓋１０側に突出しており、この領域が外枠部２１となっている。上蓋１０においては、この突出した外枠部２１に対向する領域が外枠部１１となっている。また、外枠部２１上には、上蓋１０の突起部１２に対向する領域に溝部２２が形成されており、さらに、この溝部２２内には、突起部１２に対向するように嵌合部となる嵌合溝２３が形成されている。この溝部２２の幅Ｗ2は、外枠部の幅Ｗ1よりも狭いものとなっている。また、嵌合溝２３は、上蓋１０と下蓋２０とが重ね合わされた場合に突起部１２が嵌合するような断面がＶ字型のものとなっている。
【００２０】
このように構成された上蓋１０と下蓋２０とが、その裏面どうし、すなわち、上蓋１０の突起部１２が形成された面と、下蓋２０の溝部２２が形成された面とが対向するように重ね合わされ、外枠部１１，２１にて互いに接着されて収納ケース１が構成される。そして、外枠部１１，２１においては、下蓋２０の溝部２２と上蓋１０のそれと対向する領域とが互いに接着され、下蓋２０の溝部２２と上蓋１０のそれと対向する領域以外では互いに接していない。
【００２１】
図２は、図１に示した非接触ＩＣタグ４０の構成を示す図であり、（ａ）は内部構造を示す平面図、（ｂ）は積層図である。
【００２２】
図１に示した非接触ＩＣタグ４０は図２に示すように、巻線コイルからなるアンテナ４２と、このアンテナ４２に接続されることによって非接触状態にて情報の書き込みや読み出しが可能なＩＣチップ４１が、ＰＥＴ等からなる２枚の樹脂シート４３，４４に挟み込まれ、さらに、樹脂シート４４の反対側の面に磁性シート４５が貼付され、磁性シート４５の反対側の面に粘着テープ４６が貼付されて構成されている。なお、アンテナ４２及びＩＣチップ４１を挟み込んだ２枚の樹脂シート４３，４４や磁性シート４５は、ホットメルト等の接着手段によって互いに貼着されている。
【００２３】
上記のように構成された非接触ＩＣタグ４０においては、収納ケース１の収納部３０に収納され、粘着テープ４６によって下蓋２０に貼着されて利用される。
【００２４】
以下に、図１に示した収納ケース１の製造方法について説明する。
【００２５】
図３は、図１に示した収納ケース１の製造方法を説明するための図であり、外枠部１１，２１近傍の断面を示す。
【００２６】
図１に示した収納ケース１を製造する場合は、まず、下蓋２０の収納部３０となる領域に、非接触ＩＣタグ４０を収納して粘着テープ４６によって下蓋２０に固定する。
【００２７】
次に、上蓋１０と下蓋２０の外形が互いに重なるように上蓋１０と下蓋２０とを重ね合わせようとすると、図３（ａ）に示すように、上蓋１０の外枠部１１と下蓋２０の外枠部２１とが対向し、外枠部１１に形成された突起部１２が外枠部２１に形成された溝部２２に入り込み、さらに、突起部１２の先端が嵌合溝２３に入り込んでいく。
【００２８】
そして、上蓋１０と下蓋２０とを重ね合わせると、図３（ｂ）に示すように、突起部１２が嵌合溝２３に嵌合するようになる。
【００２９】
この状態で、上蓋１０と下蓋２０に超音波振動を加えることにより、嵌合溝２３にて下蓋２０に接している突起部１２と溝部２２のうち突起部１２と接している部分が溶融し、図３（ｃ）に示すように、これらの溶融によって外枠部１１，２１のうち、溝部２２と溝部２２に対向する領域が接着部２となって上蓋１０と下蓋２０とが超音波接着される。
【００３０】
ここで、上蓋１０と下蓋２０に超音波振動を加えた際、上蓋１０と下蓋２０とが互いにずれる方向に力が加わるが、上蓋１０の突起部１２が下蓋２０の嵌合溝２３に嵌合しているため、上蓋１０と下蓋２０とがずれることが回避される。
【００３１】
また、このように収納部３０を形成するための外枠部１１，２１によって上蓋部１０と下蓋部２０とを接着する場合は、外枠部１１，２１の全面が互いに面接触した状態で接着されることが一般的であるが、本形態においては、図３（ｃ）に示すように、外枠部１１，２１のうち、外枠部２１に形成された溝部２２と外枠部１１の溝部２２に対向する領域のみとが接着されて接着部２が形成され、外枠部１１，２１のうち、この接着部２以外に領域が互いに接していないことにより、外枠部１１と外枠部２１とが線接触のような状態で互いに接着されている。このように、外枠部１１と外枠部２１とが、その全面にて面接触した状態で接着されるのではなく、線接触のような状態で接着されることにより、例えば、防水パッキンとしてＯリングを用いた場合と同様の作用が生じ、外枠部１１と外枠部２１との接着部分にてこれらを接着するための圧力のばらつきによって防水性が損なわれる領域が生じにくくなり、また、外枠部１１，２１のうち上蓋１０と下蓋２０とが接していない領域においてこれらを接着するために加わった過分な圧力が吸収されることでクラック等が入りにくくなり、防水性能が向上することになる。なお、このように、外枠部１１，２１のうち、外枠部２１に形成された溝部２２と外枠部１１の溝部２２に対向する領域のみとが接着されて接着部２が形成され、外枠部１１，２１のうち、この接着部２以外に領域が互いに接していない状態とするためには、例えば、突起部１２の体積を、嵌合溝２３を含めた溝部２２の容積よりも大きくする等の工夫を施すこと等が考えられる。
【００３２】
また、上述したように、収容部３０を形成するための外枠部２１にこの外枠部２１の幅よりも狭い幅の溝部２２を設けるとともに、上蓋１０の溝部２２に対向する領域に突起部１２を設け、これらを嵌合させることによって上蓋１０と下蓋２０とが互いにずれないように固定して接着することにより、外枠部１１，２１の内側に上蓋１０を固定するための段差を設ける必要がなくなり、収納部３０を大きくすることができる。これは、例えば、本形態のように収納部３０に非接触ＩＣタグ４０を収納して利用する場合、非接触ＩＣタグ４０の通信距離を延ばすために有効である。また、上記段差の分だけ収納部３０の深さを深くする必要がなくなる。これは、例えば、本形態のように収納部３０に図２に示した構成の非接触ＩＣタグ４０を収納して利用する場合、下蓋２０の厚みを厚くすることによって、下蓋２０側に金属が存在する場合、この金属の影響を磁性シート４５とともに低減することが可能となる。
【００３３】
なお、本形態においては、上蓋１０と下蓋２０とを外枠部１１，２１にて超音波接着するものを例に挙げて説明したが、本発明はこれに限らず、溝部２２内に接着剤を充填してこの接着剤によって上蓋１０と下蓋２０とを外枠部１１，２１にて接着するものであってもよい。この場合も、上蓋１０と下蓋２０との相対位置は、図３（ｂ）に示したようなものとなるため、外枠部１１，２１のうち、外枠部２１に形成された溝部２２と外枠部１１の溝部２２に対向する領域のみとが接着剤によって接着され、外枠部１１，２１のうち、それ以外に領域が互いに接していない状態となる。
【００３４】
（他の実施の形態）
図４は、本発明の収納ケースの他の実施の形態を示す図であり、上蓋と下蓋とを重ね合わせた状態における外枠部の近傍の断面を示す。
【００３５】
図１に示したものは、上蓋１０が円盤状のものであって、下蓋２０の外枠部２１が上蓋１０側に突出していた形状であるが、外枠部１１，２１の構成は図１に示したものに限らない。
【００３６】
例えば、図４（ａ）に示すように、上蓋１１０の外枠部１１１が下蓋１２０側に突出しているとともに、下蓋１２０の外枠部１２１が上蓋１１０側に突出している形状であってもよい。また、図４（ｂ）に示すように、下蓋２２０が円盤状のものであって、上蓋２１０の外枠部２１１が下蓋２２０側に突出している形状であってもよい。
【符号の説明】
【００３７】
１    収納ケース
２    接着部
１０，１１０，２１０    上蓋
１１，２１，１１１，１２１，２１１，２１２    外枠部
１２，１１２，２１２    突起部
２０，１２０，２２０    下蓋
２２，１２２，２２２    溝部
２３，１２３，２２３    嵌合溝
３０    収納部
４０    非接触ＩＣタグ
４１    ＩＣチップ
４２    アンテナ
４３，４４    樹脂シート
４５    磁性シート
４６    粘着テープ
【図１】
2013117919.tif 000003
【図２】
2013117919.tif 000004
【図３】
2013117919.tif 000005
【図４】
2013117919.tif 000006